(57)【要約】【課題】カムの抜けを抑制することが可能なコネクタを提供する。【解決手段】本発明のコネクタ１では、端子４は、曲げ加工によりＵ字状に折り曲げられ、一対の第１の辺部４２と第２の辺部４３とを含み、第１の辺部４２の端が自由端であるＵ字状部４１を有する。カム３２は、Ｕ字状部４１の内側に配置され、平型ケーブルを第１の辺部４２に押し付ける押付位置と、押し付けを解除する解除位置と、の間を回動可能に設けられる。端子４は、第２の辺部４３から内側に折り曲げられ、カム３２に引っ掛かる抜止部４５と、第２の辺部４３から逆側に折り曲げられ、筐体２に固定される固定部４７とを有する。【選択図】図３Ａ
2011034864.tif 000002
【特許請求の範囲】
【請求項１】
曲げ加工によりＵ字状に折り曲げられ、一対の第１の辺部と第２の辺部とを含み、前記第１の辺部の端が自由端であるＵ字状部を有する、１または複数の端子と、
前記端子を保持する筐体と、
前記Ｕ字状部の内側に配置され、前記Ｕ字状部の内側に挿入される平型ケーブルを前記第１の辺部に押し付ける押付位置と、押し付けを解除する解除位置と、の間を回動可能に設けられるカムと、
を備え、
前記端子は、
前記第２の辺部から前記Ｕ字状部の内側に折り曲げられ、前記カムに引っ掛かる抜止部と、
前記第２の辺部から前記抜止部とは逆側に折り曲げられ、前記筐体に固定される固定部と、
を有する、
ことを特徴とするコネクタ。
【請求項２】
前記抜止部と前記固定部とが、前記第２の辺部の端から互いに逆側に折り曲げられる、
請求項１に記載のコネクタ。
【請求項３】
前記第１の辺部は、前記Ｕ字状部の内側に突き出た接点部を有し、
前記抜止部は、前記接点部よりも前記Ｕ字状部の開放端側に位置する、
請求項１に記載のコネクタ。
【請求項４】
前記第１の辺部は、前記Ｕ字状部の内側に突き出た接点部を有し、
前記カムと前記接点部とが対向する、
請求項１に記載のコネクタ。
【請求項５】
前記固定部は、前記第２の辺部に沿って延びる、
請求項１に記載のコネクタ。
【請求項６】
前記Ｕ字状部は、開放端が閉塞端よりも基板から離れた姿勢で配置される、
請求項１に記載のコネクタ。
【発明の詳細な説明】
【技術分野】
【０００１】
本発明は、コネクタに関し、特には、平型ケーブルの挿入後に、平型ケーブルの電極とコネクタの端子とを所要の圧力で接触させる技術に関する。
【背景技術】
【０００２】
ＦＰＣ（Flexible Printed Circuit）やＦＦＣ（Flexible Flat Cable）などの平型ケーブルに用いられるコネクタでは、平型ケーブルがコネクタに挿入された後に、カムが回動されることによって、平型ケーブルの電極とコネクタの端子とが加圧接触される。
【先行技術文献】
【特許文献】
【０００３】
【特許文献１】特開２００８−９１２８４号公報
【発明の概要】
【発明が解決しようとする課題】
【０００４】
ところで、本発明者らは、端子の材料取りを向上させるため及び端子の一括挿入を可能とするために、曲げ加工により端子を形成することを検討している。しかし、曲げ加工により形成された端子は、打ち抜きにより形成された端子よりも変形しやすいことから、特許文献１のように端子でカムを押えても、カムが抜けてしまうおそれがある。
【０００５】
本発明は、上記実情に鑑みて為されたものであり、カムの抜けを抑制することが可能なコネクタを提供することを主な目的とする。
【課題を解決するための手段】
【０００６】
上記課題を解決するため、本発明のコネクタは、１または複数の端子と、前記端子を保持する筐体と、カムとを備える。前記端子は、曲げ加工によりＵ字状に折り曲げられ、一対の第１の辺部と第２の辺部とを含み、前記第１の辺部の端が自由端であるＵ字状部を有する。前記カムは、前記Ｕ字状部の内側に配置され、前記Ｕ字状部の内側に挿入される平型ケーブルを前記第１の辺部に押し付ける押付位置と、押し付けを解除する解除位置と、の間を回動可能に設けられる。前記端子は、前記第２の辺部から前記Ｕ字状部の内側に折り曲げられ、前記カムに引っ掛かる抜止部と、前記第２の辺部から前記抜止部とは逆側に折り曲げられ、前記筐体に固定される固定部とを有する。
【０００７】
本発明によれば、第２の辺部から折り曲げられ、カムに引っ掛かる抜止部が設けられると共に、これとは逆側に折り曲げられ、筐体に固定される固定部が設けられることから、抜止部近傍の変形が抑制され、その結果、カムの抜けが効果的に抑制される。
【０００８】
また、本発明の一態様では、前記抜止部と前記固定部とが、前記第２の辺部の端から互いに逆側に折り曲げられる。これによれば、同じ位置から抜止部と固定部とが互いに逆側に折り曲げられるので、抜止部近傍の変形がより一層抑制される。
【０００９】
また、本発明の一態様では、前記第１の辺部は、前記Ｕ字状部の内側に突き出た接点部を有し、前記抜止部は、前記接点部よりも前記Ｕ字状部の開放端側に位置する。これによれば、平型ケーブルが引っ張られたときに接点部に力が集中することを抑制できる。
【００１０】
また、本発明の一態様では、前記第１の辺部は、前記Ｕ字状部の内側に突き出た接点部を有し、前記カムと前記接点部とが対向する。これによれば、平型ケーブルの抜けが効果的に抑制される。
【００１１】
また、本発明の一態様では、前記固定部は、前記第２の辺部に沿って延びる。これによれば、第２の辺部の脇で固定部が固定されるので、第２の辺部の変形を抑制することができる。
【００１２】
また、本発明の一態様では、前記Ｕ字状部は、開放端が閉塞端よりも基板から離れた姿勢で配置される。これによれば、平型ケーブルの挿入が容易である。
【図面の簡単な説明】
【００１３】
【図１Ａ】本発明の一実施形態に係るコネクタの斜視図である。
【図１Ｂ】アクチュエータを省略した同コネクタの斜視図である。
【図２Ａ】同コネクタの平面図である。
【図２Ｂ】アクチュエータを省略した同コネクタの平面図である。
【図２Ｃ】同コネクタに含まれる筐体の平面図である。
【図３Ａ】アクチュエータが解除位置にあるときの同コネクタの断面図である。
【図３Ｂ】アクチュエータが押付位置にあるときの同コネクタの断面図である。
【図４】同コネクタに含まれる端子の斜視図である。
【図５Ａ】同コネクタの製造工程の一部を表す図である。
【図５Ｂ】同コネクタの製造工程の一部を表す図である。
【図５Ｃ】同コネクタの製造工程の一部を表す図である。
【発明を実施するための形態】
【００１４】
本発明のコネクタの実施形態を、図面を参照しながら説明する。
【００１５】
図１Ａは、コネクタ１の斜視図である。図１Ｂは、アクチュエータ３を省略したコネクタ１の斜視図である。図２Ａは、コネクタ１の平面図である。図２Ｂは、アクチュエータ３を省略したコネクタ１の平面図である。図２Ｃは、コネクタ１に含まれる筐体２の平面図である。図３Ａ及び図３Ｂは、コネクタ１の断面図である。図３Ａは、アクチュエータ３が解除位置にあるときを表し、図３Ｂは、アクチュエータ３が押付位置にあるときを表す。図４は、コネクタ１に含まれる端子４の斜視図である。図５Ａないし図５Ｃは、コネクタ１の製造工程を表す図である。
【００１６】
図１Ａ及び図２Ａに示されるように、コネクタ１は、絶縁性の樹脂材料により成型された概略箱状の筐体２を有している。筐体２の上面には挿入口１ａが位置しており、そこに不図示の平型ケーブルが挿入される。平型ケーブルは、ＦＰＣやＦＦＣなどの、一方の面の端部に電極群が形成された柔軟性を有する平型の配線部材であり、本実施形態では電極群が後側を向くようにして挿入口１ａに挿入される。筐体２の内部には、導電性の金属薄板を折り曲げて成形された複数の端子４が、所定間隔で互いに平行に配置されている。筐体２の上部前側には、絶縁性の樹脂材料により成型され、左右に延びた横長のアクチュエータ３が取り付けられている。筐体２の左右の端部には、金属薄板を折り曲げて成型された支持金具５が取り付けられている。
【００１７】
図１Ｂ、図２Ｂ及び図２Ｃに示されるように、筐体２は、外郭を為す後壁部２３及び側壁部２５を有しており、対向する側壁部２５の間には、後壁部２３の半分程度の高さの矩形箱状の端子保持部２１が架け渡されている。端子保持部２１には、上下方向に貫通した挿入口２１ａが左右方向に沿って配列している。挿入口２１ａの上端は、前部がＴ字状に広がり、後部が左方に片持ち状に広がった形状を有している。後壁部２３には、上下方向に延びる溝部２３２が左右方向に沿って配列している。端子保持部２１と後壁部２３の間には、溝部２３２に対応して挿入口２３ａが設けられている。挿入口２１ａと挿入口２３ａとは、端子保持部２１の一部である仕切部２１２によって仕切られている。これら挿入口２１ａと挿入口２３ａには、次に説明する端子４が挿入される。
【００１８】
図３Ａ、図３Ｂ及び図４に示されるように、端子４は、Ｕ字状に折り曲げられたＵ字状部４１を有している。Ｕ字状部４１は、一対の第１の辺部４２と第２の辺部４３とを有している。第１の辺部４２は、上方に向けて徐々に細まっており、その上端が自由端とされている。このため、第１の辺部４２は、第２の辺部４３に近づく方向と遠ざかる方向とに弾性変形可能である。第１の辺部４２の上端部には、Ｕ字状部４１の内側に向けて突き出るように折れ曲がった接点部４２ａが設けられている。
【００１９】
また、端子４は、抜止部４５、固定部４７及び接続部４９を有している。抜止部４５は、第２の辺部４３の上端から幅方向の一部がＵ字状部４１の内側に向けて折り曲げられることで形成され、Ｕ字状部４１の開放端の一部を覆っている。固定部４７は、第２の辺部４３の上端から幅方向の他部が抜止部４５とは逆側に向けて折り曲げられることで形成され、第２の辺部４３と略平行に延びている。この固定部４７は、Ｕ字状部４１の閉塞端よりも下方まで延びており、その中途の側部には、鋸歯状の凹凸が設けられている。接続部４９は、固定部４７の下端からＵ字状部４１とは逆側に向けて折り曲げられることで形成されている。
【００２０】
こうした端子４は、Ｕ字状部４１の開放端側が上方側、閉塞端側が下方側となる姿勢で筐体２に保持されている。具体的には、Ｕ字状部４１の第１の辺部４２は、端子保持部２１と後壁部２３の間に形成された挿入口２３ａに挿入され、第２の辺部４３及び固定部４７は、端子保持部２１に形成された挿入口２１ａに挿入されている。また、Ｕ字状部４１の内側には、挿入口２１ａと挿入口２３ａの間に設けられた仕切部２１２が位置している。後壁部２３の溝部２３２は、第１の辺部４２の上部から離れて位置しており、これにより、第１の辺部４２の可動域が確保されている。挿入口２１ａの上端は、抜止部４５及び固定部４７の形状に対応しており、前部に固定部４７が通され、後部に抜止部４５が通される。固定部４７は、鋸歯状の側部が挿入口２１ａの内壁に食い込むことで、端子保持部２１に固定されている。このように固定部４７が端子保持部２１に固定されているので、第２の辺部４３の上端を固定端ということができる。
【００２１】
図２Ａ、図３Ａ及び図３Ｂに示されるように、アクチュエータ３は、左右方向に沿って延びる略三角柱状の形状を有している。アクチュエータ３の前方側の辺部は、使用者がアクチュエータ３を指で回動操作させるための操作部３４とされる。アクチュエータ３の下方側の辺部には、左右方向に沿って櫛歯状に配列する櫛歯部３３が設けられている。櫛歯部３３の先端部は、断面非円形のカム３２によって互いに連結されている。カム３２は、Ｕ字状部４１の内側に配置されて、端子４の接点部４２ａと対向している。カム３２と接点部４２ａとの間には、平型ケーブルが挿入される。端子４の抜止部４５は、隣接する櫛歯部３３の間に挿入されて、カム３２に引っ掛けられている。
【００２２】
こうして配置されたアクチュエータ３は、操作部３４が使用者に操作されることによって、図３Ａに示される解除位置と、図３Ｂに示される押付位置との間で回動する。押付位置において、カム３２は、長径方向が前後方向に沿った姿勢となり、Ｕ字状部４１の第１の辺部４２と第２の辺部４３とを押し広げようとする。ここで、第１の辺部４２の上端は自由端であり、第２の辺部４３の上端は固定端であるので、第１の辺部４２は、第２の辺部４３と比して大きく変位する。Ｕ字状部４１内に挿入された平型ケーブルは、カム３２によって押圧され、第１の辺部４２に押し付けられる。このとき、第１の辺部４２は、弾性変形によってカム３２を押し返す力、すなわち平型ケーブルを挟み込む力を生じる。これにより、第１の辺部４２の接点部４２ａが、平型ケーブル９の電極に加圧接触される。
【００２３】
コネクタ１の組み立てについて説明する。まず、図５Ａに示されるように、筐体２には、下方側から端子４が挿入される。具体的には、端子保持部２１と後壁部２３の間に形成された挿入口２３ａには第１の辺部４２が挿入され、端子保持部２１に形成された挿入口２１ａには第２の辺部４３、抜止部４５及び固定部４７が挿入される。ここで、各端子４は、端子集合体６０の一部として形成される。端子集合体６０は、複数の端子４が基部６１に保持された形状を有しており、１枚の金属薄板から曲げ加工によってこうした形状に成形される。これにより、複数の端子４を筐体２に一斉に挿入することが可能である。
【００２４】
次に、図５Ｂに示されるように、筐体２には、上方側からアクチュエータ３が取り付けられる。具体的には、アクチュエータ３のカム３２は、長径方向が上下方向に沿った姿勢となるように傾けられ、端子４の接点部４２ａと抜止部４５の間を通ってＵ字状部４１の内側に挿入された後、抜止部４５に引っ掛けられる（図３Ａを参照）。その後、図５Ｃに示されるように、筐体２の左右両端部には、支持金具５が下方側から圧入される。こうして得られるコネクタ１は、端子４の接続部４９と支持金具５の取付部５２とが不図示の回路基板のパッドに半田付けされることで、不図示の回路基板に取り付けられる。
【００２５】
以上に説明した本実施形態では、図３Ａに示されるように、抜止部４５は、第２の辺部４３から幅方向の一部がＵ字状部４１の内側に折り曲げられることで形成され、固定部４７は、第２の辺部４３から幅方向の他部が抜止部４５とは逆側に折り曲げられることで形成されるので、抜止部４５の近傍がカム３２から押圧力を受けても変形しにくく、このため、カム３２の抜けが効果的に抑制されている。
【００２６】
また、本実施形態では、抜止部４５と固定部４７は第２の辺部４３の上端から互いに逆側に折り曲げられているので、抜止部４５の近傍の変形がより一層抑制されている。
【００２７】
また、本実施形態では、抜止部４５が接点部４２ａよりもＵ字状部４１の開放端側、すなわち上方側に位置している。これによれば、平型ケーブルが上方に引っ張られたときに、カム３２の抜けを抑制する力が、接点部４２ａよりも上方側で働くので、接点部４２ａに力が集中することを抑制できる。
【００２８】
また、本実施形態では、押付位置においてカム３２の押圧位置が第１の辺部４２の接点部４２ａに対向していることから、平型ケーブルの抜けが効果的に抑制されている。
【００２９】
また、本実施形態では、固定部４７は、第２の辺部４３から折り返されており、第２の辺部４３のすぐ脇で端子保持部２１に固定されているので、第２の辺部４３の変形を効果的に抑制することができる。
【００３０】
また、本実施形態では、端子４は、Ｕ字状部４１の開放端側が上方側、閉塞端側が下方側となる姿勢で、筐体２に保持されており、平型ケーブルが上方側からＵ字状部４１の内側に挿入されるので、平型ケーブルの挿入が容易である。
【００３１】
以上、本発明の実施形態について説明したが、本発明は上記実施形態に限定されるものではなく、種々の変形実施が当業者にとって可能であるのはもちろんである。
【符号の説明】
【００３２】
１  コネクタ、１ａ  挿入口、２  筐体、２１  端子保持部、２１２  仕切部、２１ａ  挿入口、２３  後壁部、２３２  溝部、２３ａ  挿入口、２５  側壁部、３  アクチュエータ、３２  カム、３３  櫛歯部、３４  操作部、４  端子、４１  Ｕ字状部、４２  第１の辺部、４２ａ  接点部、４３  第２の辺部、４５  抜止部、４７  固定部、４９  接続部、５  支持金具、５２  取付部、６０  端子集合体、６１  基部。
【図１Ａ】
2011034864.tif 000003
【図１Ｂ】
2011034864.tif 000004
【図２Ａ】
2011034864.tif 000005
【図２Ｂ】
2011034864.tif 000006
【図２Ｃ】
2011034864.tif 000007
【図３Ａ】
2011034864.tif 000008
【図３Ｂ】
2011034864.tif 000009
【図４】
2011034864.tif 000010
【図５Ａ】
2011034864.tif 000011
【図５Ｂ】
2011034864.tif 000012
【図５Ｃ】
2011034864.tif 000013